(57)【要約】【課題】互いに接合される縦横の框または枠の見付け面方向の幅が異なる建具において、気水密性、断熱性および意匠性を向上させることが可能となる構成の樹脂製建具を提供する。【解決手段】建物の開口部に固定する合成樹脂製押出形材でなる縦横の枠３〜５、および枠内に装着する障子２の合成樹脂製押出形材でなる縦横の框８〜１１を、それぞれの接合面で溶着して樹脂製建具を構成する。縦横の枠３〜５のうちの少なくとも１つの枠の見付け面の面内方向の幅が他の枠の見付け面の面内方向の幅と異なるか、またはおよび縦横の框８〜１１のうちの少なくとも１つの框８の見付け面の面内方向の幅が他の框９〜１１の見付け面の面内方向の幅より広幅をなす。広幅側の枠または框８の端部の一部は開口されており、その開口部分にこの開口部を塞ぐコーナー部品３０，３０Ｘを取付ける。【選択図】図２
2015105499.tif 000002
【特許請求の範囲】
【請求項１】
建物の開口部に固定する合成樹脂製押出形材でなる縦横の枠、および前記枠内に装着する障子の合成樹脂製押出形材でなる縦横の框を、それぞれ斜めの接合面で溶着した樹脂製建具において、
前記縦横の枠のうちの少なくとも１つの枠の見付け面の面内方向の幅が他の枠の見付け面の面内方向の幅と異なるか、またはおよび前記縦横の框のうちの少なくとも１つの框の見付け面の面内方向の幅が他の框の見付け面の面内方向の幅と異なっており、
広幅側の枠または框の端部の一部は開口されており、
この開口された部分を塞ぐコーナー部品を設けたことを特徴とする樹脂製建具。
【請求項２】
請求項１に記載の樹脂製建具において、
前記枠または框に取付けたコーナー部品に、框または枠に当接させる気密材を設けたことを特徴とする樹脂製建具。
【請求項３】
請求項２に記載の樹脂製建具において、
前記縦横の框または枠に設けられる気密材と、前記コーナー部品に設けられた気密材とは連続することを特徴とする樹脂製建具。
【請求項４】
請求項１から３までのいずれか１項に記載の樹脂製建具において、
前記広幅の框は、錠のハンドルの操作力伝達機構を内部に収容するホロー部を有する縦框であり、その縦框に接合する框は、縦框より見付け面の面内方向が狭幅の上横框であり、
前記縦框の上端に設けるコーナー部品に、前記上横框上に流入する雨水を前記縦框の前記ホロー部より見付け面の面内方向の外側に導く水抜き片を設けたことを特徴とする樹脂製建具。
【請求項５】
請求項１から４までのいずれか１項に記載の樹脂製建具において、
前記障子が室内外方向に開閉される構造を有し、
前記コーナー部品が縦框の下端部に取付けられ、
前記コーナー部品に、障子を閉じる際に下横框に当接する傾斜面を有する下がり止めを設けたことを特徴とする樹脂製建具。
【発明の詳細な説明】
【技術分野】
【０００１】
本発明は、住宅等の建物に設置される窓やドア等の樹脂製建具に関する。
【背景技術】
【０００２】
窓やドア等の建具として、枠や框を合成樹脂製押出形材により製造した樹脂製建具は、断熱性が優れているため、寒冷地において多用され、また、省エネを目的として使用される。このような樹脂製建具は、ねじにより縦枠と横枠あるいは縦框と横框を結合すると、結合部における隙間の発生や使用期間の経過に伴うガタの発生により、気水密性が劣化するため、結合部を溶着により結合することが行なわれる。特に気水密性が重要視される寒冷地においては、溶着により結合するのが一般的である。
【０００３】
このような樹脂製建具において、例えば特許文献１に開示され、図１４に引き違い窓の例について示すように、障子の下横框７０と召し合せ框７１の見付け面の面内方向の幅ｔ１，ｔ２が異なる（ｔ１＞ｔ２）場合、４５度に傾斜した接合部７２において、広幅側の下横框７０に接合されない部分７０ａが生じる。これらの框７０，７１は中空構造を有しており、下横框７０の接合されない部分７０ａは開口されることとなる。なお、７３，７４はそれぞれ下横框７０と召し合せ框７１の気密材７４に取付けた気密材、７５はこれらの気密材７３，７４が無い空白領域に貼り付けた板状の気密材である。
【先行技術文献】
【特許文献】
【０００４】
【特許文献１】特開２０１０−１２１３４２号公報
【発明の概要】
【発明が解決しようとする課題】
【０００５】
前述のように、図１４に示す従来の構成においては、広幅側の框７０の接合されない部分７０ａの端面は開口されるため、開口部からの空気や水の吹き込みにより、気水密性、断熱性が低下すると共に、意匠性が悪くなる。
【０００６】
本発明は、上記問題点に鑑み、互いに接合される縦横の框または枠の見付け面方向の幅が異なる建具において、気水密性、断熱性および意匠性を向上させることが可能となる構成の樹脂製建具を提供することを目的とする。
【課題を解決するための手段】
【０００７】
請求項１の樹脂製建具は、建物の開口部に固定する合成樹脂製押出形材でなる縦横の枠、および前記枠内に装着する障子の合成樹脂製押出形材でなる縦横の框を、それぞれ斜めの接合面で溶着した樹脂製建具において、
前記縦横の枠のうちの少なくとも１つの枠の見付け面の面内方向の幅が他の枠の見付け面の面内方向の幅と異なるか、またはおよび前記縦横の框のうちの少なくとも１つの框の見付け面の面内方向の幅が他の框の見付け面の面内方向の幅と異なっており、
広幅側の枠または框の端部の一部は開口され、
この開口された部分を塞ぐコーナー部品を設けたことを特徴とする。
【０００８】
請求項２の樹脂製建具は、請求項１に記載の樹脂製建具において、
前記枠または框に取付けたコーナー部品に、框または枠に当接させる気密材を設けたことを特徴とする。
【０００９】
請求項３の樹脂製建具は、請求項２に記載の樹脂製建具において、
前記縦横の框または枠に設けられる気密材と、前記コーナー部品に設けられた気密材とは連続することを特徴とする。
【００１０】
請求項４の樹脂製建具は、請求項１から３までのいずれか１項に記載の樹脂製建具において、
前記広幅の框は、錠のハンドルの操作力伝達機構を内部に収容するホロー部を有する縦框であり、その縦框に接合する框は、縦框より見付け面の面内方向が狭幅の上横框であり、
前記縦框の上端に設けるコーナー部品に、前記上横框上に流入する雨水を前記縦框の前記ホロー部より見付け面の面内方向の外側に導く水抜き片を設けたことを特徴とする。
【００１１】
請求項５の樹脂製建具は、請求項１から４までのいずれか１項に記載の樹脂製建具において、
前記障子が室内外方向に開閉される構造を有し、
前記コーナー部品が縦框の下端部に取付けられ、
前記コーナー部品に、障子を閉じる際に下横框に当接する傾斜面を有する下がり止めを設けたことを特徴とする。
【発明の効果】
【００１２】
請求項１の発明によれば、広幅側の枠または框の端部の一部に形成された開口部を塞ぐコーナー部品が設けたので、枠または框に幅に相違があっても、開口部からの空気や水の吹き込みが防止され、接合部における気水密性、断熱性を向上させることができると共に、意匠性を向上させることができる。
【００１３】
請求項２の発明によれば、コーナー部品に気密材を設けたので、コーナー部における框または枠との当接面における気水密性、断熱性を確保することができる。
【００１４】
請求項３の発明によれば、また、コーナー部において気密材を連続させることができるため、框または枠との当接面における気水密性、断熱性を高めることができる。また、コーナー部において気密材を連続させることができるため、コーナー部において、別体の気密材を貼り付ける必要がなくなり、気密材の取付け工数を削減できる。
【００１５】
請求項４の発明によれば、コーナー部品に、錠のハンドルの操作力伝達機構を収容する縦框のホロー部の外側に導く水抜き片を設けたので、上横框上に溜まる雨水が錠のハンドルの操作力伝達機構を収容するホロー部に浸入することが防止され、雨水による操作力伝達機構の構成部品の錆びつきを防止することができる。また、コーナー部品に水抜き片を設けたので、コーナー部品を縦框に取付けることによって水抜き機構が実現でき、水抜きのための別部品を必要とせず、水抜き部品を取付けるための工程も必要としない。
【００１６】
請求項５の発明によれば、縦框の下端に取付けるコーナー部品に下がり止めを設けたので、コーナー部品に下がり止め機能を持たせることができ、別設の下がり止め部品が不要となり、その取付け工程も削減できる。
【図面の簡単な説明】
【００１７】
【図１】本発明の樹脂製建具の一実施の形態を室内側から見た正面図である。
【図２】図１の樹脂製建具の障子を室内側から見た正面図である。
【図３】本実施の形態の樹脂製建具の横断面図である。
【図４】本実施の形態の樹脂製建具の縦断面図である。
【図５】（Ａ），（Ｂ）はそれぞれ本実施の形態の縦框の上端部、下端部を示す斜視図である。
【図６】（Ａ），（Ｂ）はそれぞれ本実施の形態の上横框、下横框を示す斜視図である。
【図７】（Ａ）〜（Ｄ）は、本実施の形態の縦框の上端部に取付けるコーナー部品を室内側から見た斜視図であり、（Ａ）は斜め左上側、（Ｂ）は左下側、（Ｃ）は右下側、（Ｄ）は右上側からそれぞれ見たものである。
【図８】本実施の形態の縦框と上横框との接合部の構造を示す正面図である。
【図９】本実施の形態の障子の縦框にコーナー部品を取付けた状態で示す斜視図である。
【図１０】本実施の形態の障子の縦框と上下の横框との接合部をーナー部品を取付けた状態で示す正面図である。
【図１１】本実施の形態の障子の縦框と上下の横框との接合部をーナー部品を取付けた状態で示す縦断面図である。
【図１２】（Ａ）〜（Ｄ）は、本実施の形態の縦框の下端部に取付けるコーナー部品を室内側から見た斜視図であり、（Ａ）は斜め右上側、（Ｂ）は左下側、（Ｃ）は左上側、（Ｄ）は右下側からそれぞれ見たものである。
【図１３】本実施の形態において、縦框の下端部にコーナー部品を取付けた状態を示す斜視図である。
【図１４】従来の広幅側框と狭幅側框との接合部を室内側から見た図である。
【発明を実施するための形態】
【００１８】
図１は本発明の樹脂製建具の一実施の形態を室内側から示す正面図、図２はその障子を示す正面図、図３および図４はそれぞれ図１の横断面図、縦断面図である。これらの図において、１は窓枠、２は障子であり、本実施の形態の建具は、勝手口やテラスへの出入り口に設けられる片開き窓を示している。窓枠１は左右の縦枠３，４と上下の横枠５，６をそれぞれ接合部７において溶着により接合したものである。
【００１９】
障子２は、左右の縦框８，９と、上横框１０と、下横框１１とを接合部１２において溶着より接合し、これらで組まれた枠内にガラスパネル１３を組み込んで構成したものである。本実施の形態は、図３、図４に示すように、ガラスパネル１３として３枚のガラスパネルを断熱性の高いガス層の密封構造で組み合わせたトリプルパネルにより構成した例を示す。図４において、１４は障子２を一方の縦枠４に開閉可能に枢着する丁番である。
【００２０】
図３、図４において、１５は窓の室内側、１６は室外側である。１７は窓枠１における障子２の受け面に設けた気密材である。この気密材１７は、縦枠３，４、上横枠５および下横枠６の各室内側部分にそれぞれ設けた気密材取付け溝３ａ，４ａ，５ａ，６ａに嵌着して窓枠１の４周に連続させ、両端を突き合わせて取付ける。
【００２１】
１８は障子２における窓枠１に対する当接面に設けた気密材である。この気密材１８を取付けるため、縦框８，９、上横框１０および下横框１１の室外側部分にそれぞれ見付け面の面内方向（図３、図４に矢印２７で示す。）の外側に突出させて突出部８ａ，９ａ，１０ａ，１１ａを設け、各突出部の室内側にそれぞれ気密材取付け溝８ｂ，９ｂ，１０ｂ，１１ｂを設けており、気密材１８は、これらの気密材取付け溝８ｂ，９ｂ，１０ｂ，１１ｂに嵌着して、後述の構造により４周に連続させ、両端を突き合わせて取付ける。
【００２２】
１９は障子２のガラスパネル１３の４周における室内側の面と框８〜１１との間の気水密性を保持する気密材であり、この気密材１９は、縦框８，９、上横框１０および下横框１１の室内側の部分にそれぞれ設けた気密材取付け溝８ｃ，９ｃ，１０ｃ，１１ｃに４周を連続させて設ける。２０は障子２の框８〜１１にガラスパネル１３を固定する押縁であり、この押縁２０は、縦框８，９、上横框１０および下横枠１１の室外側の部分に設けた押縁取付け溝８ｄ，９ｄ，１０ｄ，１１ｄに嵌着し、押縁２０によりガラスパネル１３の室外側の面の４周に押し付けるようにして設ける。
【００２３】
２３，２４はグレモン錠のハンドルであり、これらのハンドル２３，２４は縦框８（第１部材）に室内側１５、室外側１６にそれぞれ突出させて取付ける。２６はこれらのハンドル２３，２４の回動操作により上下動させる施錠用ロックピンであり、このロックピン２６は、縦框８における見付け面の面内方向（図３に矢印２７で示す。）の外側の面に上下動可能に取付ける。このロックピン２６は、ハンドル２３，２４の回動操作により、縦框８の中央のホロー部８ｅに収容する操作力伝達機構(図示せず)を介して上下動させ、縦枠３に取付けた受け具２８の溝２８ａに嵌合、離脱させ、これによりロック、ロック解除を行なうものである。
【００２４】
図３に示すように、グレモン錠のハンドル２３，２４を取付ける縦框８の見付け面の面内方向の幅ｔ３は、丁番１４側の縦框９の見付け面の面内方向の幅ｔ４より広幅（ｔ３＞ｔ４）に構成される。このように、グレモン錠を取付ける縦框８側の幅ｔ３を幅広に構成する理由は、ハンドル２３，２４の操作力伝達機構を収容するホロー部８ｅを広幅を必要とするからである。丁番１４側の縦框９と上横框（第２部材）１０と下横框（第２部材）１１の見付け面の面内方向の幅はいずれもｔ４で等しく構成され、グレモン錠を取付ける縦框８より狭幅である（図２参照）。
【００２５】
なお、グレモン錠のハンドル２３，２４を取付ける縦框８に他の框９〜１１の幅を合わせて構成することも考えられるが、縦框８のみを幅広にしているのは、断熱性を考慮した場合、ガラスパネル１３による断熱性の方が樹脂製の框８〜１１に比較して高い断熱性が得られることから、なるべく框９〜１１の幅を薄く、ガラスパネル１３を広く構成するためである。
【００２６】
図５（Ａ），（Ｂ）はそれぞれ本実施の形態の縦框の上端部、下端部を示す斜視図、図６（Ａ），（Ｂ）はそれぞれ本実施の形態の上横框、下横框を示す斜視図、図７（Ａ）〜（Ｄ）は、本実施の形態の縦框の上端部に取付けるコーナー部品を室内側から見た斜視図であり、（Ａ）は斜め左上側、（Ｂ）は左下側、（Ｃ）は右下側、（Ｄ）は右上側からそれぞれ見たものである。図８は本実施の形態の縦框と上横框との接合部の構造を示す正面図、図９は本実施の形態の障子の縦框にコーナー部品を取付けた状態で示す斜視図、図１０は本実施の形態の障子の縦框と上下の横框との接合部をコーナー部品を取付けた状態で示す正面図、図１１はその縦断面図である。
【００２７】
図５（Ａ）、図６（Ａ）、図８において、８ｆは縦框８の上端に設けた傾斜した接合面、１０ｆは上横框１０の端部に接合面８ｆに溶着する傾斜した接合面である。図８から分かるように、縦框８と上横框１０とを例えば４５度に傾斜した接合部８ｆ，１０ｆで接合した場合、縦框８の幅が上横框１０の幅より広いため、縦框８の上端部の一部、すなわち上横框１０との接合部との反対側が開口される。縦框８の下端部についても同様に一部が開口される。
【００２８】
このような開口部を塞ぐコーナー部品３０を取付けるため、図５（Ａ）、図８に示すように、縦框８の上端部を、室外側板状部８ｇを残して、上横框１０の気密材取付け溝１０ｂの見付け面の面内方向の幅、すなわち上下幅ｔ６より長い上下の長さｔ５の範囲（ｔ５＞ｔ６）にわたって除去する。これにより、縦框８の上面に、図７に示すコーナー部品３０の室内側蓋板部３０ａの下面３０ｂを当接させる水平の当接面８ｈと、室外側部分の下面３０ｃを当接させる水平の当接面８ｉを形成する。本実施の形態においては、当接面８ｈ，８ｉを、上横框１０の上板部１０ｇの上面に一致させて設けている。
【００２９】
図７（Ａ）〜（Ｄ）において、３０ｄはコーナー部品３０の気密材取付け溝であり、この気密材取付け溝３０ｄはＬ字形をなし、後述のコーナー部品３０の縦框８への取付け構造により取付けた状態において、図１１に示すように、気密材装着溝３０ｄの一端は縦框８の気密材取付け溝８ｂに連続し、他端を上横框１０の気密材取付け溝１０ｂに連続するように構成する。
【００３０】
コーナー部品３０には、下方に突出する突出部３０ｅ，３０ｆ，３０ｇを形成する。これらの突出部３０ｅ，３０ｆ，３０ｇは、それぞれ、図５（Ａ）に示す縦框８のホロー部８ｊ，８ｋ，８ｍに嵌合して縦框８に対する位置決めをして縦框８に取付けるために設けるものである。
【００３１】
コーナー部品３０の室内外方向の中央部に、縦框８の中央のホロー部８ｅ内の外側縦板部８ｎの内面に当接させるコ字形の水平断面の取付け部３０ｈを形成し、この取付け部３０ｈに取付けねじ３１（図５（Ａ）参照）をねじ込む取付け孔３０ｉを設ける。また、この取付け部３０ｈの上部には、上横框１０側に傾斜した水抜き片３０ｊを形成する。３０ｍは縦框８と上横框１０の上板部１０ｇとの溶着部に残留するバリを覆うカバー部である。図５（Ａ）に示すように、縦框８のホロー部８ｅの外側縦板部８ｎにおける室内外方向の中央部の上端に、コーナー部品３０を取付けるための溝部８ｐを切除により形成する。
【００３２】
図６（Ａ）、図８において、１０ｈは上横框１０の気密材取付け溝１０ｂの端部を、気密材取付け溝１０ｂの底面部を残して垂直に切断した切断面、１０ｉはこの切断面１０ｈより縦框８側に設けられ、室外側の縦板部１０ｊを残して垂直に切断した切断面である。図８に示すように、切断面１０ｈは、コーナー部品３０に対する水平の当接面８ｈの上横框１０側の端部３２よりｔ７に示す距離だけ上横框１０側に寄せて形成する。これは互いに溶着した縦框８と上横框１０との結合部のコーナー部にコーナー部品３０を嵌め込む際に、気密材取付け溝１０ｂがコーナー部品３０の嵌着の障害とならず、かつ図１１に示すように、コーナー部品３０の気密材取付け溝３０ｄの端部を上横框１０の気密材取付け溝１０ｂに連続するように対向させるためである。同様に、上横框１０の上方への突出部１０ａの端部に設ける切断面１０ｉも、コーナー部品３０の縦框８への嵌着の際の障害とならないようにするために形成する。
【００３３】
縦框８と上横框１０との結合の前に、縦框８には予め４５度の接合面８ｆ以外に、当接面８ｈ，８ｉ、溝部８ｐを形成しておき、また、上横框１０にも４５度の接合面１０ｆ以外に切断面１０ｈ，１０ｉを形成しておく。そして、両框８，１０の接合の際には、例えば接合面８ｆ，１０ｆ間に加熱した金属板（図示せず）を介在させておき、その後金属板を外して相互の接合面８ｆ，１０ｆ間を溶着する等の方法で縦框８と上横框１０とを接合する。
【００３４】
その後、図９、図１１に示すように、コーナー部品３０を縦框８に取付けて縦框８と上横框１０との間のコーナー部に取付けて縦框８の開口部を覆うと共に、縦框８と上横框１０との接合部を覆う。コーナー部品３０の取付けは、図７に示すコーナー部品３０の突起部３０ｅ，３０ｆ，３０ｇをそれぞれ図５（Ａ）に示すホロー部８ｊ，８ｋ，８ｍに嵌合し、図１０、図１１に示すように、取付け部３０ｈを縦框８の縦板部８ｎの内面に当て、コーナー部品３０の下面３０ｂ，３０ｃをそれぞれ縦框８の端部の当接面８ｈ，８ｉに当て、取付けねじ３１を縦板部８ｎに設けた貫通孔８ｑに挿通してコーナー部品３０の取付け孔３０ｉに食い込ませてねじ込むことにより行なう。
【００３５】
このようにコーナー部品３０を取付けた状態においては、図１１に示すように、縦框８の気密材取付け溝８ｂと上横框１０の気密材取付け溝１０ｂとは、コーナー部品３０のＬ字形をなす気密材取付け溝３０ｄにより連続する。このため、これらの気密材取付け溝８ｂ，３０ｄ，１０ｂに気密材１８を連続させて嵌め込むことができる。
【００３６】
また、図９、図１１に示すように、上横框１０の上板部１０ｇの上に流入した雨水は、矢印３４で示すように、上板部１０ｇの端部から水抜き片３０ｊに沿って流下し、ホロー部８ｅの外側に流下するので、ハンドルの操作力伝達機構を収容するホロー部８ｅ内に流下しない。
【００３７】
また、図１１に示すように、上横框１０の上板部１０ｇの端部の一部は、コーナー部品３０に設けたカバー部３０ｍにより覆われるため、この上板部１０ｇにおけるバリ３５の除去作業が不要となる。なお、横框１０，１１との見付け面に残るバリは、外観向上のために除去する。
【００３８】
図１２は縦框８の下端部と下横框１１との間のコーナー部に設けるコーナー部品３０Ｘを示す。このコーナー部品３０Ｘは、図４に示すように、障子２を閉じる際に下横枠６の室外側の障子受け部６ｂの上端に当接して障子２の下がりを防止する下がり止め３３を設けたものである。この下がり止め３３は、障子２を閉じる際に障子受け部６ｂに当接して室内側に移動する際に、障子２を浮き上がらせるための傾斜面３３ａを有する。この下がり止め３３はコーナー部品３０Ｘと一体に設けてもよく、別体に設けてコーナー部品３０Ｘに組み込むようにしてもよい。
【００３９】
コーナー部品３０Ｘの下がり止め３３以外の部分の構成は、縦框８の上端に取付けるコーナー部品３０と対象形に構成する。図１２において、図７と同じ符号は同じ機能を発揮する部分である。図５（Ｂ）に示す縦框８の下端部について符号８ａ〜８ｑで示す部分は、図５（Ａ）の同符号と同じまたは等価機能を発揮する部分である。また、図６（Ｂ）に示す下横框１１について符号１１ａ〜１１ｇで示す部分は、図６（Ａ）の１０ａ〜１０ｇに対応する部分である。
【００４０】
図１３はコーナー部品３０Ｘを縦框８と下横框１１との間のコーナー部に取付けた状態を示す斜視図である。このコーナー部品３０Ｘの取付けにおいては、前述したように、図１２に示すコーナー部品３０Ｘの突起部３０ｅ，３０ｆ，３０ｇをそれぞれ図５（Ｂ）に示すホロー部８ｊ，８ｋ，８ｍに嵌合し、取付け部３０ｈを図１１に示すように、縦框８の縦板部８ｎの内面に当て、取付けねじ３１を縦板部８ｎに設けた貫通孔８ｑに挿通してコーナー部品３０の取付け孔３０ｉに食い込ませてねじ込むことにより行なう。コーナー部品３０Ｘの面３０ｂ，３０ｃをそれぞれ縦框８の端部の当接面８ｈ，８ｉに当てることも前記コーナー部品３０の場合と同様である。下がり止め３３は、その上面を下横框１１の下板部１１ｇの下面に当接させる。
【００４１】
このように、本実施の形態においては、広幅側の框である縦框８の上端部、下端部の開口部をコーナー部品３０，３０Ｘにより覆ったので、開口部からの空気や水の吹き込みが防止され、気水密性、断熱性を向上させることができると共に、意匠性を向上させることができる。
【００４２】
また、本実施の形態においては、縦框８の上下端部の、狭幅側の框である横框１０，１１の端部に接合された部分の近傍を除去し、その除去部分にコーナー部品３０，３０Ｘを取付け、そのコーナー部品３０，３０Ｘに縦框８と、横框１０，１１との間を中継する気密材取付け溝３０ｄを設けることにより、気密材１８を設けたので、気水密性、断熱性を確保することができる。
【００４３】
その上、本実施の形態においては、框の接合部分であるコーナー部において、気密材１８を連続的に装着するように構成したので、縦框８と横框１０，１１の幅に相違があっても、接合部において気密材を連続させることができる。このため、気水密性、断熱性を向上させることができる。また、コーナー部において気密材を連続させることができるため、コーナー部において、別体の気密材を貼り付ける必要がなくなり、気密材１８の取付け工数を削減できる。
【００４４】
また、本実施の形態においては、コーナー部品３０に、錠のハンドル２３，２４の操作力伝達機構を収容する縦框のホロー部８ｅの外側に雨水を導く水抜き片３０ｊを設けたので、上横框１０上に溜まる雨水が錠のハンドルの操作力伝達機構を収容するホロー部８ｅに浸入することが防止され、雨水による操作力伝達機構の錆びつきを防止することができる。また、コーナー部品３０に水抜き片３０ｊを設けたので、コーナー部品３０を縦框８に取付けることによって水抜き機構が実現でき、水抜きのための別部品を必要とせず、水抜き部品を取付けるための工程も必要としない。
【００４５】
また、本実施の形態においては、縦框８の下端に取付けるコーナー部品３０Ｘに下がり止め３３を設けたので、コーナー部品３０Ｘに下がり止め機能を持たせることができ、別設の下がり止め部品が不要となり、その取付け工程も削減できる。
【００４６】
本発明の構造は、開き窓以外に、辷り出し窓や引き違い窓あるいは片引き窓あるいはこれらの同様の構成の戸にも適用できる。また、障子のみならず、窓枠においても、縦横の枠の見付け面の面内方向の幅が異なる樹脂製窓や戸にも適用できる。また、本発明を実施する場合、本発明の要旨を逸脱しない範囲において、枠や障子の具体的構成や加熱発泡材や断熱材の取付け構造等について、種々の変更、付加が可能である。
【符号の説明】
【００４７】
１：窓枠、２：障子、３，４：縦枠、５，６：横枠、７：接合部、８：縦框（第１部材）、９：縦框（第２部材）、１０，１１：横框、１２：接合部、１３：ガラスパネル、１４：丁番、１７〜１９：気密材、８ａ〜１１ａ：突出部、８ｂ〜１１ｂ、８ｃ〜１１ｃ：気密材取付け溝、８ｄ〜１１ｄ：押縁取付け溝、２０：押縁、２３，２４：ハンドル、２６：ロックピン、２８：受け具、３０，３０Ｘ：コーナー部品、３０ｄ：気密材取付け溝、３０ｊ：水抜き片、３１：取付けねじ、３３：下がり止め
【図１】
2015105499.tif 000003
【図２】
2015105499.tif 000004
【図３】
2015105499.tif 000005
【図４】
2015105499.tif 000006
【図５】
2015105499.tif 000007
【図６】
2015105499.tif 000008
【図７】
2015105499.tif 000009
【図８】
2015105499.tif 000010
【図９】
2015105499.tif 000011
【図１０】
2015105499.tif 000012
【図１１】
2015105499.tif 000013
【図１２】
2015105499.tif 000014
【図１３】
2015105499.tif 000015
【図１４】
2015105499.tif 000016